(57)【要約】【構成】見たい番組の放送開始１５分前にチューナの電源をオンにして、放送信号から放送波時刻を取り込む。その結果、ローカル時刻が標準時刻に比べて遅れている場合には、その遅れに関する情報をメモリに記憶する。次に、放送波時刻が番組開始時刻である午後８時になったときに、チューナのスイッチをオンにして番組の録画を開始する。次に、遅れてローカル時刻が午後８時になったときから、追っかけ再生をすることによって番組を視聴する。また、追っかけ再生して番組を視聴する時間がないときには、番組終了まで録画を継続し、録画した番組は番組終了後に見る。【効果】ユーザがローカル時刻に基づいてチューナの電源をオンにして番組を見たときに、既に放送が開始されている場合であっても、番組の最初の内容を見逃すことなく番組全体を見ることができる。【選択図】  図２
2004207975.tif 000002
【特許請求の範囲】
【請求項１】
ローカル時刻を刻む時計回路を備え、標準時刻を基準に送信される所望のコンテンツ信号を受信するコンテンツ受信装置において、
前記所望のコンテンツ信号の送信開始時刻を特定する特定手段、
前記ローカル時刻が前記標準時刻よりも進んでいるとき前記送信開始時刻にメッセージを発生する発生手段、および
前記ローカル時刻が前記標準時刻よりも遅れているとき前記送信開始時刻から前記所望のコンテンツ信号の記録を開始する記録手段を備えることを特徴とする、コンテンツ受信装置。
【請求項２】
受信されるコンテンツ信号は標準時刻情報を含み、
前記特定手段は、前記所望のコンテンツ信号に先立って送信されるコンテンツ信号から標準時刻情報を検出する検出手段、および
前記検出手段によって検出された標準時刻情報に含まれる時刻と前記ローカル時刻とに基づいて前記送信開始時刻を特定する時刻特定手段を含む、請求項１記載のコンテンツ受信装置。
【請求項３】
携帯型である、請求項１または２記載のコンテンツ受信装置。
【請求項４】
前記所望のコンテンツ信号は映像コンテンツを含み、
前期映像コンテンツを出力する映像モニタをさらに備える、請求項１ないし３のいずれかに記載のコンテンツ受信装置。
【発明の詳細な説明】
【０００１】
【発明の属する技術分野】
この発明は、コンテンツ受信装置に関し、特にたとえばデジタルテレビ放送受信機能を有する携帯端末に適用され、ローカル時刻を刻む時計回路を備え、標準時刻を基準に送信される所望のコンテンツ信号を受信する、コンテンツ受信装置に関する。
【０００２】
【従来技術】
従来、デジタルテレビ放送受信機能を有する携帯端末でテレビ放送を視聴する場合、見たい番組の開始時刻をあらかじめ登録しておくと、携帯端末は内蔵されているクロックが示す時刻（ローカル時刻）とは無関係に、放送波に含まれている時刻（標準時刻）に基づいて登録されている番組開始時刻を検出して、テレビ放送の受信を開始する。
【０００３】
【発明が解決しようとする課題】
しかし、ユーザは携帯端末のクロックを任意の時刻に調整することができるので、自分の行動様式にあわせて意図的にローカル時刻を放送波時間とは変えている場合がある。このようなユーザは、携帯端末を用いてテレビ番組を視聴するときにも、ローカル時刻に基づいて携帯端末のチューナの電源をオンにする場合が多い。また、意図的にずらしていなくても、ローカル時刻が標準時刻に比べて進んでいたり、遅れていたりする場合もある。
【０００４】
このように、標準時刻からずれているローカル時刻に基づいてテレビ放送を受信すると、携帯時間が放送波時間に比べて遅れている場合には、すでに見たいテレビ番組は始まっているので、番組の最初の内容を見逃すことになる。逆に、進んでいるときには番組開始以前にチューナの電源がオンになり、その状態で番組開始まで待たなければならない。
【０００５】
それゆえに、この発明の主たる目的は、標準時刻とローカル時刻との間でずれが生じているときでも、所望のコンテンツを快適に鑑賞することができる、コンテンツ受信装置を提供することである。
【０００６】
【課題を解決するための手段】
この発明は、ローカル時刻を刻む時計回路を備え、標準時刻を基準に送信される所望のコンテンツ信号を受信するコンテンツ受信装置において、所望のコンテンツ信号の送信開始時刻を特定する特定手段、ローカル時刻が前記標準時刻よりも進んでいるとき送信開始時刻にメッセージを発生する発生手段、およびローカル時刻が標準時刻よりも遅れているとき送信開始時刻から所望のコンテンツ信号の記録を開始する記録手段を備えることを特徴とするコンテンツ受信装置である。
【０００７】
【作用】
ローカル時刻を刻む時計回路を備え、標準時刻を基準にして送信されてくる所望のコンテンツ信号を受信するコンテンツ受信装置は、所望のコンテンツ信号の送信開始時刻を特定する。そして、特定した送信開始時刻とローカル時刻とを比較して、ローカル時刻が標準時刻よりも進んでいるときにはユーザに対してメッセージを発するので、ユーザは番組の放送開始と同時に番組を視聴したり、録画して後で見たりすることができる。一方、ローカル時刻が標準時刻よりも遅れているときには放送開始と同時に所望のコンテンツ信号の記録を開始するので、追っかけ再生して番組を見たり、録画して後で見たりすることができる。このため、番組の最初の内容を見落とすことがなくなる。
【０００８】
コンテンツ受信装置は、所望のコンテンツ信号に先立って送信されてくるコンテンツ信号に含まれる標準時刻情報を検出する。さらに、検出した標準時刻情報に含まれる標準時刻とローカル時刻とに基づいて送信開始時刻を特定する。
【０００９】
好ましくは、コンテンツ受信装置は携帯型である。これにより、ユーザは屋外でコンテンツを受信して楽しむことができる。
【００１０】
好ましくは、コンテンツ受信装置にはその映像コンテンツを出力する映像モニタを備えている。これにより、ユーザはコンテンツ信号に含まれる映像コンテンツを鑑賞することができる。
【００１１】
【発明の効果】
この発明によれば、標準時刻とローカル時刻との間でずれが生じているときでも、所望のコンテンツを快適に鑑賞することができる。
【００１２】
この発明の上述の目的，その他の目的，特徴および利点は、図面を参照して行う以下の実施例の詳細な説明から一層明らかとなろう。
【００１３】
【実施例】
図１を参照して、この実施例のデジタルテレビ放送受信機能を有する携帯端末（１セグメント受信機）１０は、デジタルテレビ放送を受信して、視聴、録画、追っかけ再生などをするテレビ放送受信回路１２と、相手方と通話を行なう通話回路１４と、それらを制御する制御回路１６とから構成されている。
【００１４】
テレビ放送受信回路１２は、アンテナ１８が受信したデジタルテレビ放送の電波信号を受け取り、その中からユーザによって指定された１つのチャンネルのデジタル放送データ（地上波デジタル放送ではＭＰＥＧ２−ＴＳ）を選択するチューナ２０を含む。チューナ２０によって選択されたデジタル放送データは、バッファメモリ２２に与えられ、バッファメモリ２２は、与えられたデジタル放送データを所定量になるまで蓄積し、所定量ごとにデマルチプレクサ３０に与える。
【００１５】
デマルチプレクサ３０は、与えられたデジタル放送データからＰＥＳデータを抽出して、メモリカードコントローラ２４に与える。また、デマルチプレクサ３０は、デジタル放送データのヘッダ情報をＣＰＵ６０に与え、ＣＰＵ６０はヘッダ情報から標準時刻を読み取る。
【００１６】
メモリカードコントローラ２４は、デマルチプレクサ３０からＰＥＳデータを受け取り、メモリカード２６に記録する。こうして、所望の番組の映像と音声が記録される。なお、メモリカード２６の代わりにＤＲＡＭ、フラッシュメモリなどの半導体メモリを用いてもよい。
【００１７】
次に、メモリカード２６に記録された番組の映像と音声を再生する場合について説明する。メモリカードコントローラ２４が、メモリカード２６からＰＥＳデータを読み出し、ＡＶセレクタ３２に与える。
【００１８】
ＡＶセレクタ３２は、ビデオＰＥＳパケットおよびオーディオＰＥＳパケットを非パケット化して、それぞれビデオＥＳデータおよびオーディオＥＳデータに変換し、変換したビデオＥＳデータおよびオーディオＥＳデータをそれぞれＭＰＥＧ４ビデオデコーダ３４およびＭＰＥＧ２―ＡＡＣオーディオデコーダ４２に与える。
【００１９】
ＭＰＥＧ４ビデオデコーダ３４は与えられたビデオＥＳデータをデコードしてビデオデータを生成し、生成したビデオデータをＮＴＳＣエンコーダ３６に与える。このビデオデータは、ＮＴＳＣエンコーダ３６によってコンポジットビデオ信号に変換され、変換されたコンポジットビデオ信号は液晶表示素子などのモニタ３８に出力される。この結果、所望の番組の映像が、モニタ３８の画面に表示される。
【００２０】
一方、ＭＰＥＧ２−ＡＡＣオーディオエンコーダ４２は、与えられたオーディオＥＳデータをデコードしてオーディオデータを生成する。生成されたオーディオデータは、Ｄ／Ａ変換器４４によってアナログオーディオ信号に変換され、変換されたオーディオ信号はスピーカ４６に出力される。この結果、所望の番組の音声がスピーカ４６から聞こえる。
【００２１】
なお、この実施例の携帯端末は１セグメント受信機であるので、画像の圧縮符号化はＭＰＥＧ４方式によって行なわれるが、テレビ受信機などの大型の装置では、映像の圧縮符号化はＭＰＥＧ２方式によって行なわれる。このため、その場合にはＭＰＥＧ４ビデオデコーダ３４の代わりに、ＭＰＥＧ２ビデオデコーダを使用する。
【００２２】
また、受信したテレビ放送を直接視聴する場合には、チューナ２０によって、ユーザが視聴を希望する１つのチャンネルのデジタル放送データを選択し、選択したデジタル放送データを、バッファメモリ２２を介してデマルチプレクサ３０に与える。
【００２３】
デマルチプレクサ３０は、与えられたデジタル放送データからＰＥＳデータを抽出して、ＡＶセレクタ３２に与える。ＡＶセレクタに与えられたＰＥＳデータは、既に説明した録画した映像および音声を再生する場合と同様に処理されて、コンポジットビデオ信号およびアナログオーディオ信号に変換される。なお、デマルチプレクサ３０は、デジタル放送データのヘッダ情報をＣＰＵ６０に与え、ＣＰＵ６０はそのヘッダ情報から標準時刻を読み取る。
【００２４】
次に、通話回路１４について説明する。音声がマイクロフォン４８に入力されると、この音声は、マイクロフォン４８によってアナログ信号である音声信号に変換される。変換された音声信号は、アンプ（図示しない）によって増幅され、ＡＤ／ＤＡ変換回路５０によってデジタル信号である音声データに変換される。変換された音声データは、信号処理回路５２によって符号化処理が施され、さらに無線回路５４によって変調処理を施される。無線回路５４によって生成された変調音声データは、アンテナ５６から発信される。
【００２５】
一方、相手方から送られてきた変調音声データは、アンテナ５６によって受信され、無線回路５４によって復調処理を施されるとともに、信号処理回路５２によって復号処理を施される。信号処理回路５２によって復号された音声データは、ＡＤ／ＤＡ変換回路５０によってアナログ信号である音声信号に変換され、変換された音声信号はアンプ（図示しない）を介してスピーカ５８から出力される。
【００２６】
次に、制御回路１６について説明する。制御回路１６は、ＣＰＵ６０およびＣＰＵ６０に接続されたクロック６２、操作パネル６４、メモリ６６、アラーム６８からなる。
【００２７】
ＣＰＵ６０は図１のブロック図の点線で示すように、チューナ２０、バッファメモリ２２、メモリカードコントローラ２４、デマルチプレクサ３０、ＡＶセレクタ３２、ＭＰＥＧ４ビデオエンコーダ３４、ＮＴＳＣエンコーダ３６、ＭＰＥＧ２−ＡＡＣオーディオエンコーダ４２、ＤＡ変換回路４４、信号処理回路５２、無線回路５４の各回路を制御している。また、上述のようにデジタル放送データのヘッダ情報から標準時刻を取り込んでいる。
【００２８】
クロック６２は、携帯端末に内蔵されている時計回路で、ユーザの行動様式にあわせて時間を自由に調整することができる。このため、意図的に標準時刻をずらしておいて、このクロック６２が示す時刻であるローカル時刻を見て行動するユーザも多い。
【００２９】
操作パネル６４は、ユーザがテレビ番組を視聴したり、携帯端末で通話したりしたときに使用されるもので、ユーザはこの操作パネル６４を操作することによって、ＣＰＵ６０を介してテレビ放送受信回路１２や通話回路１４に対して命令を与える。
【００３０】
メモリ６６は、ＣＰＵ６０の動作プログラム、ユーザによって入力されるテレビ番組のチャネル、放送開始時刻、放送終了時刻などの番組情報、ローカル時刻と標準時刻とのずれに関する情報などを格納している。また、アラーム６８は、所定の時刻になったことを音や振動を発してユーザに知らせる。
【００３１】
次に、図２（ａ）または図２（ｂ）に示すタイミング図を用いて、クロック６２の示すローカル時刻がテレビ放送の標準時刻に対して遅れている場合について、テレビ放送受信回路１２の動作の概要を説明する。この実施例では、ユーザが見たい番組は、標準時刻で午後８時に始まり、午後９時に終了する１時間の番組とする。また、ローカル時刻は、標準時刻よりも５分遅れているとして説明する。
【００３２】
まず、図２（ａ）に示すタイミング図を用いて、ユーザがこの番組を視聴する場合について説明する。ユーザはあらかじめ見たい番組のチャネル、放送開始時刻、放送終了時刻を操作パネル６４から入力しておく。そうすると、ローカル時刻が番組開始時刻１５分前である午後７時４５分になったとき、ＣＰＵ６０はチューナ２０の電源をオンにして、希望するチャネルのデジタル放送データを選択し、そのヘッダ情報をバッファメモリ２２を介して受け取る。ＣＰＵ６０は、受け取ったヘッダ情報から標準時刻を読み取り、ローカル時刻が標準時刻に対して５分遅れていることを検知し、ローカル時刻と標準時刻とのずれに関する情報をメモリ６６に記憶した後、再びチューナ２０の電源をオフにする。なお、標準時刻を確認するために、番組開始１５分前にチューナ２０の電源をオンにしたが、チューナ２０の電源をオンする時刻は番組１５分前に限定されず、番組開始前５分〜３０分で適宜調整することができる。
【００３３】
そして、ローカル時刻が７時５５分になったとき、ＣＰＵ６０はメモリ６６に記憶しているローカル時刻が標準時刻に対して５分遅れているとの情報を考慮して、標準時刻が番組開始時刻である午後８時になったと判断し、チューナ２０の電源をオンにして番組の録画を開始する。
【００３４】
このとき、ユーザはローカル時刻に基づいて行動しているので、テレビ番組の放送が開始されたことは知らず、その後携帯端末に表示されている時刻またはアラーム６８によってローカル時刻が番組開始時刻である午後８時になったことを知り、番組の視聴を開始する。このときには、番組の放送が開始されて５分経過しているため、モニタ３８の画面を見ても見逃した内容を見ることはできない。
【００３５】
このため、ユーザは番組の録画を継続しながら、録画した番組を最初から再生して見るという、いわゆる追っかけ再生をしながら見ていく。そして、標準時刻が番組終了時刻である午後９時になったときに、ＣＰＵ６０は番組の放送が終了したと判断して録画も終了するが、再生は継続する。ユーザはその後も視聴を続け、ローカル時刻で午後９時になったとき、ユーザは録画された番組を全部見終わり視聴を終了するので、ＣＰＵ６０はチューナ２０の電源をオフにする。
【００３６】
なお、録画した番組を追っかけ再生しながら視聴するときに、番組の途中でＣＭなど早送りしたい映像がある場合、ユーザが操作パネル６４から指示してその部分を早送りすることがある。この場合、再生が終了したときに番組がまだ放送中であれば、ユーザは操作パネル６４から指示して、番組視聴できるようにしてもよい。
【００３７】
また、図２（ｂ）のタイミング図を用いて、ユーザがアラーム６８によって番組開始時刻になったことを知ったときに、忙しくて番組を見ることができない場合について説明する。この場合、ＣＰＵ６０は、標準時刻が番組開始時刻である午後８時になったと判断し、チューナ２０の電源をオンにして番組の録画を開始するまでは、図２（ａ）の場合と同様であるので、説明を省略する。
【００３８】
アラーム６８によって、ユーザがローカル時刻で午後８時になったことを知ったときには、既に番組の放送が開始し、録画が開始されている。ユーザが番組放送時間中に、追っかけ再生によって番組を見ることができない場合、ＣＰＵ６０はメモリカード２６への録画を継続し、標準時刻が番組終了時刻である午後９時になったときに、録画を終了してチューナ２０の電源をオフにする。このとき録画した番組は、後で時間があるときに再生して見る。
【００３９】
次に、図３（ａ）または図３（ｂ）のタイミング図を用いて、クロック６２のローカル時刻がテレビ放送の標準時刻に対して進んでいる場合について、テレビ放送受信回路１２の動作の概要を説明する。この実施例でも図２の場合と同様に、ユーザが見たい番組は標準時刻で午後８時に始まり、午後９時に終了する１時間の番組とする。また、ローカル時刻は、標準時刻よりも５分進んでいるとして説明する。
【００４０】
まず、図３（ａ）のタイミング図を用いて、ユーザがこの番組を視聴する場合について説明する。ユーザはあらかじめ見たい番組のチャネル、放送開始時刻、放送終了時刻を操作パネル６４から入力しておく。そうすると、ローカル時刻が番組開始時刻の１５分前である午後７時４５分になったとき、ＣＰＵ６０はチューナ２０の電源をオンにして、希望するチャネルのデジタル放送データを選択し、そのヘッダ情報をデマルチプレクサ３０を介して受け取る。ＣＰＵ６０は、受け取ったヘッダ情報から標準時刻を読み取り、ローカル時刻が標準時刻に対して５分進んでいることを検知してメモリ６６に記憶した後、再びチューナ２０の電源をオフにする。なお、この場合も、標準時刻を確認するために、番組開始１５分前にチューナ２０の電源をオンにしたが、チューナ２０の電源をオンする時刻は番組開始１５分前に限定されず、番組開始前５分〜３０分で適宜調整することができる。
【００４１】
次に、ローカル時刻が午後８時０５分になったとき、ＣＰＵ６０はメモリ６６に記憶しているローカル時刻が標準時刻に対して５分進んでいることを考慮して、標準時刻が番組開始時刻である午後８時になったと判断し、チューナ２０の電源をオンにする。ユーザは、アラーム６８によってこの時刻を知り、番組の視聴を開始する。この場合、ちょうど番組が開始されたところなので、ユーザは番組を最初から見逃すことなく見ることができる。
【００４２】
そして、標準時刻が番組終了時刻である午後９時になったときに、ＣＰＵ６０は、番組が終了したと判断してチューナ２０の電源をオフにする。
【００４３】
図３（ｂ）のタイミング図を用いて、ユーザがアラーム６８によって番組開始時刻になったことを知ったときに、忙しくて番組を見ることができない場合について説明する。この場合、標準時刻で午後８時になったとき、ユーザはアラーム６８によって番組の放送開始時刻になったことを知ることまでは、図３（ａ）の場合と同様であるので、説明を省略する。
【００４４】
アラーム６８によって、ユーザがローカル時刻で午後８時になったことを知ったときには、ユーザからの指示により、ＣＰＵ６０は録画の開始を命令し、標準時刻が番組終了時刻である午後９時になったときに、番組が終了したと判断して録画を終了し、チューナ２０の電源をオフにする。このとき録画した番組は、後で時間があるときに再生して見る。
【００４５】
次に、図２および図３を用いて説明したテレビ番組の追っかけ再生、録画および視聴する場合の処理について、図４および図５のフロー図を用いて説明する。
【００４６】
まず、図４を参照して、あらかじめユーザは操作パネル６４から、見たい番組のチャネル、放送開始時刻、放送終了時刻を入力しておく。そして、ステップＳ１で、ローカル時刻が午後７時４５分になるまで待ち、午後７時４５分になったら、ステップＳ３でＣＰＵ６０はチューナ６０の電源をオンにする。そして、ステップＳ５でアンテナ１８が受信したデジタル放送データのヘッダ情報をデマルチプレクサ３０を介して取り込み、標準時刻とローカル時刻とのずれに関する情報をメモリ６６に記憶した後、ステップＳ７でチューナ２０の電源をオフにする。
【００４７】
次に、ステップＳ９で、ＣＰＵ６０はローカル時刻が標準時刻よりも遅れているかどうかを判断する。そして、遅れていると判断した場合には、追っかけ再生をするために、以下に述べるフローにしたがって処理する。なお、ローカル時刻の方が進んでいると判断した場合の処理については後述する。
【００４８】
ステップＳ１１で、標準時刻が番組開始時刻である午後８時になるまで待ち、午後８時になるとＣＰＵ６０はチューナ２０の電源をオンにして録画を開始することを命令する。さらに、ステップＳ１５で、ローカル時刻が午後８時になるのを待ち、午後８時になったときに、ステップ１９で、ユーザからの指示に基づきＣＰＵ６０は既に放送が開始されている番組をすぐに視聴するかどうか判断する。すぐに視聴する場合には、ステップＳ１９でＣＰＵ６０は、録画を継続しながら再生する、追っかけ再生をすることを命令する。
【００４９】
そして、ステップＳ２１で、標準時刻が番組終了時刻である午後９時になるまで追っかけ再生を継続し、午後９時になったらステップＳ２３で、ＣＰＵ６０は録画の終了を命令する。
【００５０】
さらに、ステップＳ２５でローカル時刻が午後９時になるまで再生のみ継続し、午後９時になったらステップＳ２７で、ＣＰＵは再生の終了を命令して、チューナの電源をオフにする。
【００５１】
また、ステップ１９で、すでに放送が開始されている番組の放送時間内に追っかけ再生で見ることができないと判断した場合には、ステップＳ３１でユーザからの指示に基づき、その番組を後で見るかどうか判断する。そして、後で見ると判断した場合には、標準時刻が番組終了時刻である午後９時になるまで録画を継続し、ステップＳ３３で午後９時になったと判断したときには、ステップＳ３５でＣＰＵ６０は録画を終了することを命じて、チューナ２０の電源をオフにする。
【００５２】
今までの説明は、ローカル時刻が標準時刻に比べて遅れている場合であったが、次に図５を参照して、ローカル時刻が標準時刻に比べて進んでいる場合の処理について説明する。
【００５３】
ステップＳ９で、ＣＰＵ６０が、ローカル時刻が標準時刻に比べて進んでいると判断した場合には、ステップＳ３９で、標準時刻が番組開始時刻である午後８時になるまで待つ。そして、ステップ３９で午後８時になったときにＣＰＵ６０はチューナ２０をオンにして番組の視聴ができるようにするとともに、ステップＳ４１でアラーム６８を作動させてユーザに番組開始時刻になったことを知らせる。
【００５４】
次に、ステップＳ４３で、ユーザからの指示に基づきＣＰＵ６０が番組をすぐに視聴するかどうか判断する。そして、すぐに視聴すると判断したときには、継続して番組の視聴ができるようにする。そして、ステップＳ４５で、標準時刻が番組終了時刻である午後９時になるまで待ち、午後９時になったらステップＳ４７で、ＣＰＵはチューナの電源をオフにして処理を終了する。
【００５５】
また、ステップＳ４３で、ＣＰＵ６０が番組をすぐに視聴しないと判断したときには、ステップＳ４９でチューナ２０の電源をオンにして番組を録画するよう命令する。
【００５６】
そして、標準時刻が番組終了時刻である午後９時になるまで録画を継続し、ステップＳ５１で午後９時になったと判断した場合には、ＣＰＵ６０はステップＳ５３で番組の録画終了を命令し、ステップＳ４７でチューナ２０の電源をオフして処理を終了する。
【００５７】
以上の説明から分かるように、ユーザが任意の時間に調整できるクロック６２を備え、標準時刻を基準に放送局から送信される所望のコンテンツ信号を受信するコンテンツ受信装置は、チューナ２０で選択した所望のコンテンツ信号をバッファメモリ２２を介してＣＰＵ６０に取り込むことにより送信開始時刻を特定する。そして、クロック６２の示すローカル時刻が標準開始時刻よりも進んでいるときは、送信開始時刻にユーザに対してアラーム６８を作動させてメッセージを伝える。また、クロック６２の示すローカル時刻が標準開始時刻よりも遅れているときは、送信開始時刻にチューナ２０の電源をオンにして録画を開始する。
【００５８】
ＣＰＵ６０は、あらかじめ見たい番組の放送が開始される前に送信されるコンテンツ信号であるデジタル放送データからヘッダ情報を検出する。そして、ヘッダ情報に含まれる標準時刻とクロック６２の示すローカル時刻とを用いて送信開始時刻を特定する。この特定された送信開始時刻に基づいて、ユーザに対しメッセージを伝えたり、録画を開始したりする。
【００５９】
コンテンツ受信装置は携帯電話などの携帯端末に内蔵することができるので、屋外でコンテンツを楽しむことができる。
【００６０】
コンテンツ受信装置は映像を写すモニタ３８を備えているので、コンテンツ信号に含まれている映像コンテンツも鑑賞することができる。
【図面の簡単な説明】
【図１】この発明の一実施例を示すブロック図である。
【図２】図１実施例のタイミングチャートを示す図解図である。
【図３】図１実施例の他のタイミングチャートを示す図解図である。
【図４】図１実施例の動作の一部を示すフロー図である。
【図５】図１実施例の動作の他の一部を示すフロー図である。
【符号の説明】
１０…携帯端末
１２…テレビ放送受信回路
２０…チューナ
２４…メモリコントローラ
２６…メモリカード
３０…デマルチプレクサ
３２…ＡＶセレクタ
３４…ＭＰＥＧ４ビデオデコーダ
４２…ＭＰＥＧ２−ＡＡＣオーディオエンコーダ
３８…モニタ
４６…スピーカ
６０…ＣＰＵ
６２…クロック
６４…操作パネル
６６…メモリ
６８…アラーム
【図１】
2004207975.tif 000003
【図２】
2004207975.tif 000004
【図３】
2004207975.tif 000005
【図４】
2004207975.tif 000006
【図５】
2004207975.tif 000007